(57)【特許請求の範囲】
【請求項１】
フォーカスレンズ及びズームレンズを含む撮影レンズによって結像された被写体光を受光し撮像信号に変換して出力する撮像素子、前記撮像素子から出力される撮像信号を画像データに変換して出力する画像データ変換部、前記画像データ変換部から出力された画像データに基づいて合焦位置を検出する合焦位置検出部、前記フォーカスレンズを駆動して焦点を無限遠側の端点と至近側の端点との間で移動させるフォーカス用モータ、前記合焦位置検出部の検出した合焦位置に前記フォーカスレンズが移動するよう前記フォーカス用モータの駆動を制御する合焦制御部、前記ズームレンズを駆動して広角側と望遠側との間で移動させるズーム用モータ、前記ズーム用モータの駆動を制御するズーム制御部を備える撮像装置であって、
前記ズームレンズを望遠側の端点に向けて順次移動させる望遠側移動指示、前記ズームレンズを望遠側の端点まで即時に移動させる望遠端移動指示、前記ズームレンズを広角側の端点に向けて順次移動させる広角側移動指示又は前記ズームレンズを広角側の端点まで即時に移動させる広角端移動指示を受け付ける指示部と、
前記指示部によって前記望遠側移動指示、前記広角側移動指示、前記広角端移動指示又は前記望遠端移動指示が受け付けられたことを検出する指示検出部と、
を備え、
前記ズーム制御部は前記指示検出部が前記広角端移動指示又は前記望遠端移動指示を検出したことに応じて前記ズームレンズを前記広角側の端点又は前記望遠側の端点に移動させるよう前記ズーム用モータを駆動し、かつ前記指示検出部が前記広角側移動指示又は前記望遠側移動指示を検出したことに応じて前記ズームレンズを前記広角側の端点又は前記望遠側の端点に向けて順次移動させるよう前記ズーム用モータを駆動し、
前記指示部は前記望遠側移動指示及び前記望遠端移動指示に対応した可動接点である第１段の望遠スイッチ及び第２段の望遠スイッチ並びに前記広角側移動指示及び前記広角端移動指示に対応した可動接点である第１段の広角スイッチ及び第２段の広角スイッチで構成され、
前記指示検出部は、前記第１段の望遠スイッチが閉成されたことに応じて前記望遠側移動指示を検出し、前記第１段の望遠スイッチおよび前記第２段の望遠スイッチが閉成されたことに応じて前記望遠端移動指示を検出し、前記第１段の広角スイッチが閉成されたことに応じて前記広角側移動指示を検出し、かつ前記第１段の広角スイッチおよび前記第２段の広角スイッチが閉成されたことに応じて前記広角端移動指示を検出し、
前記指示部は２段階のスライド操作に対応したスライド型スイッチで構成される撮像装置。
【請求項２】
前記合焦位置検出部の検出した合焦位置を記憶する記憶部をさらに備え、
前記合焦位置検出部は前記指示検出部が前記広角端移動指示又は前記望遠端移動指示を検出したことに応じて合焦位置を検出して前記記憶部に記憶させ、かつ前記指示検出部が前記広角端移動指示又は前記望遠端移動指示を再び検出したことに応じて前記記憶部に記憶された合焦位置の近傍から合焦位置の検出を開始する請求項１に記載の撮像装置。
【請求項３】
前記合焦位置検出部は前記ズームレンズが前記広角側の端点又は前記望遠側の端点に移動したことに応じて合焦位置を検出して前記記憶部に記憶させる請求項２に記載の撮像装置。
【請求項４】
前記合焦位置検出部は、前記指示検出部が前記広角端移動指示又は前記望遠端移動指示を再び検出したことに応じ、前記記憶部に記憶された合焦位置の近傍において、前記記憶部に記憶された合焦位置の検出時における前記フォーカスレンズの移動ステップよりも細かい移動ステップで前記フォーカスレンズを移動させ、前記フォーカスレンズの移動ごとに合焦評価値を算出することで、前記記憶部に記憶された合焦位置の近傍から合焦位置の検出する請求項２または３に記載の撮像装置。
【請求項５】
前記指示検出部が検出した３回目以降の前記広角端移動指示又は前記望遠端移動指示に対応して前記合焦位置検出部が検出した合焦位置は、前記記憶部に上書き記憶される請求項２〜４のいずれかに記載の撮像装置。
【発明の詳細な説明】
【技術分野】
【０００１】
本発明はズーム機能及びオートフォーカス機能を備えた撮像装置に関する。
【背景技術】
【０００２】
従来、電動ズームカメラにおいて、素早くズームレンズを移動させる技術が開発されている。例えば特許文献１によると、コマンドダイアルの操作方向を検出して撮影レンズの駆動方向を設定し、次にコマンドダイアルの所定時間内の操作量を検出し、操作量が多い場合にはテレ端またはワイド端まで撮影レンズを連続かつ高速に駆動する。撮影レンズの駆動中にコマンドダイアルを逆方向に操作した場合や、レリーズボタンやモードスイッチを操作した場合には、撮影レンズの駆動を停止する。一方、コマンドダイアルの所定時間内の操作量が少ない場合には、撮影レンズを所定時間だけ駆動し、所定時間内の操作量が中程度の場合には、撮影レンズを所定距離だけ駆動した時点でテレ端またはワイド端に達していなければさらに所定距離だけ駆動する。
【特許文献１】特開平８−２４０７６３号公報
【発明の開示】
【発明が解決しようとする課題】
【０００３】
光学ズーム機能、電子ズーム機能等のズーム機能を備えたカメラは、カメラ本体に設けられたズーム・キーを操作することによってレンズの焦点距離を変えることができ、これによって撮影角度範囲（画角）の変更を容易に行うことができるようになっている。しかしながら、このようなズーム機能を備えたカメラによって、遠方にいる被写体と近くにいる被写体を交互に撮影を行いたい場合、例えば野球観戦で遠方の選手を拡大して撮影し、かつ観戦同席者を近景で撮影する場合は、レンズの焦点距離を遠方側（テレ側）または近景側（ズーム側）に変えながら、その都度合焦して撮影する必要があり、このような撮影を行う場合には手間と余計な操作時間がかかるという問題点があった。
【０００４】
この点、特許文献１では、ズームレンズの移動量を操作量に応じて可変にするだけであり、その後の合焦動作を素早く行うことは何も言及していない。本発明はこのような問題点に鑑みてなされたもので、遠方と近景の両方を交互に撮影する場合におけるズーム動作と合焦を素早く行い、被写体を捉えるまでに要する時間を極力短くすることを目的とする。
【課題を解決するための手段】
【０００５】
上記課題を解決するため、本発明に係る撮像装置は、フォーカスレンズ及びズームレンズを含む撮影レンズによって結像された被写体光を受光し撮像信号に変換して出力する撮像素子、撮像素子から出力される撮像信号を画像データに変換して出力する画像データ変換部、画像データ変換部から出力された画像データに基づいて合焦位置を検出する合焦位置検出部、フォーカスレンズを駆動して焦点を無限遠側の端点と至近側の端点との間で移動させるフォーカス用モータ、合焦位置検出部の検出した合焦位置にフォーカスレンズが移動するようフォーカス用モータの駆動を制御する合焦制御部、ズームレンズを駆動して広角側と望遠側との間で移動させるズーム用モータ、ズーム用モータの駆動を制御するズーム制御部を備える。
【０００６】
かつ、この撮像装置は、ズームレンズを望遠側の端点に向けて順次移動させる望遠側移動指示、ズームレンズを望遠側の端点まで即時に移動させる望遠端移動指示、ズームレンズを広角側の端点に向けて順次移動させる広角側移動指示又はズームレンズを広角側の端点まで即時に移動させる広角端移動指示を受け付ける指示部と、指示部によって望遠側移動指示、広角側移動指示、広角端移動指示又は望遠端移動指示が受け付けられたことを検出する指示検出部と、を備える。
【０００７】
この撮像装置では、広角端移動指示又は望遠端移動指示が受け付けられたことに応じ、ズームレンズの焦点距離を遠方側（テレ側）または近景側（ズーム側）に一気に変えることができ、近接した被写体と遠方の被写体を交互に撮影する際に便利である。
【０００８】
具体的には、指示部は、望遠側移動指示及び望遠端移動指示に対応した可動接点である第１段の望遠スイッチ及び第２段の望遠スイッチ並びに広角側移動指示及び広角端移動指示に対応した可動接点である第１段の広角スイッチ及び第２段の広角スイッチで構成されてもよい。
【０００９】
この場合、指示検出部は第１段の望遠スイッチ又は第２段の望遠スイッチが閉成されたことに応じて望遠側移動指示又は望遠端移動指示を検出し、かつ第１段の広角スイッチ又は第２段の広角スイッチが閉成されたことに応じて広角側移動指示又は広角端移動指示を検出する。
【００１０】
指示部は２段階の揺動操作に対応したシーソー型スイッチ又は２段階のスライド操作に対応したスライド型スイッチで構成されてもよい。
【００１１】
ただし、操作部の構成は上記のものに限定されない。例えば、従来のシーソー型スイッチとともに特別の「端点移動用ボタン」を設け、端点移動用ボタンを押下しながらシーソー型スイッチの広角側または望遠側のいずれか一方を押下させることで、広角端移動指示または望遠端移動指示を受け付けるようにしてもよい。
【００１２】
この撮像装置は、合焦位置検出部の検出した合焦位置を記憶する記憶部をさらに備えることが好ましい。かつ、合焦位置検出部は指示検出部が広角端移動指示又は望遠端移動指示を検出したことに応じて合焦位置を検出して記憶部に記憶させ、かつ指示検出部が広角端移動指示又は望遠端移動指示を再び検出したことに応じて記憶部に記憶された合焦位置の近傍から合焦位置の検出を開始することが好ましい。
【００１３】
こうすると、ズームレンズの焦点距離を遠方側（テレ側）または近景側（ズーム側）に一気に変えるときの合焦を、前回の合焦位置を基準に開始させることができるから、ズームレンズの移動に伴う合焦を素早く行うことができる。
【００１４】
また、合焦位置検出部はズームレンズが広角側の端点又は望遠側の端点に移動したことに応じて合焦位置を検出して記憶部に記憶させることが好ましい。
【００１５】
即ち、ズームレンズの移動完了後に合焦位置の検出を開始することで、合焦位置の検出の精度を上げることができる。
【発明の効果】
【００１６】
本発明に係る撮像装置では、広角端移動指示又は望遠端移動指示が受け付けられたことに応じ、ズームレンズの焦点距離を遠方側（テレ側）または近景側（ズーム側）に一気に変えることができ、近接した被写体と遠方の被写体を交互に撮影する際に便利である。
【００１７】
また、ズームレンズの焦点距離を遠方側（テレ側）または近景側（ズーム側）に一気に変えるときの合焦を、前回記憶された合焦位置を基準に開始するから、ズームレンズの遠方側（テレ側）または近景側（ズーム側）への移動に伴う合焦を素早く行うことができる。
【発明を実施するための最良の形態】
【００１８】
以下、添付した図面を参照し本発明の好ましい実施の形態を説明する。
【００１９】
＜第１実施形態＞
図１は、本発明の好ましい実施形態に係るデジタルカメラ（以下カメラと略す）３００の正面図である。
【００２０】
カメラ３００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２１】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２２】
またカメラ３００には、非撮影時には撮影レンズ１０１の前面を覆って撮像レンズ１０１と外界とを遮ることで撮像レンズ１０１を保護する状態をつくり出すとともに、撮像時には撮像レンズを外界に露出するレンズカバー６１が設けられている。
【００２３】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。図１ではレンズカバー６１は開放状態となっている。
【００２４】
カメラ３００の上面には、レリーズスイッチ１０４と電源スイッチ１２１が配備されており、正面には、ストロボ１０５ａ、ＡＦ補助光ランプ１０５ｂ、セルフタイマーランプ１０５ｃ等が配備されている。
【００２５】
図２はカメラ３００の背面図である。カメラ３００の背面には、ズームスイッチ１２７が配備されている。ズームスイッチ１２７のワイド（Ｗ）側、テレ（Ｔ）側は、それぞれその押圧に応じて段階的に押し込むあるいは揺動させることができる。ズームスイッチ１２７のワイド（Ｗ）側を第１の所定量（ＷＩＤＥ１）だけ押すと、押し続けている間、レンズ鏡胴６０がワイド端（広角）側に繰り出し、テレ（Ｔ）側を第１の所定量（ＴＥＬＥ１）だけ押すと、押し続けている間、レンズ鏡胴６０がテレ端（望遠）側に移動する。
【００２６】
カメラ３００の背面には、画像表示ＬＣＤ１０２、切替レバー１２２、十字キー１２４、情報位置指定キー１２６等も設けられている。
【００２７】
図３は本発明に係るカメラ３００のブロック図である。カメラ３００にはユーザがこのカメラ３００を使用するときに種々の操作を行なうための操作部１２０が設けられている。この操作部１２０には、カメラ３００を作動させるための電源投入用の電源スイッチ１２１、撮影モードと再生モードとを自在に切り替える切替レバー１２２、オート撮影やマニュアル撮影等を選択するための撮影モードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６、左右方向に操作可能なレバースイッチで構成され、該スイッチを右方向に操作することで望遠（ＴＥＬＥ）方向にズーム移動し、左方向に操作することで広角（ＷＩＤＥ）方向にズーム移動するズームスイッチ１２７が備えられている。
【００２８】
また、カメラ３００には、撮影画像や再生画像等を表示するための画像表示ＬＣＤ１０２と、操作の手助けを行なうための操作ＬＣＤ表示１０３が備えられている。
【００２９】
このカメラ３００にはレリーズスイッチ１０４が配備されている。このレリーズスイッチ１０４によって撮影の開始指示がメインＣＰＵ２０へと伝えられる。このカメラ３００では切替レバー１２２によって撮影と再生との切り替えが自在になっていて、撮影を行なうときには切替レバー１２２が撮影側に切り替えられ、再生を行なうときには切替レバー１２２が再生側に切り替えられる。また、カメラ３００には、閃光を発光する閃光発光管１０５ａを有する閃光発光装置が配備されている。
【００３０】
また、カメラ３００には、撮影レンズ１０１と、撮影レンズ１０１を経由して結像された被写体像をアナログの画像信号に変換する撮像素子であるＣＣＤセンサ１３２とが備えられている。
【００３１】
撮影レンズ１０１は、ズームレンズ１０１ａ，フォーカスレンズ１０１ｂ、絞り１３１を備えており、ズーミングを行うズーム用モータ１１０と、焦点調整を行うフォーカス用モータ１１１と、絞り調整を行う絞り用モータ１１２により、それぞれが駆動される。レンズ鏡胴６０の進退動力はズーム用モータ１１０よって供給される。レンズカバー６１の開閉動力はレンズカバー用モータ１１４によって供給され、レンズカバー用モータ１１４はモータドライバ６２によって駆動される。モータドライバ６２の駆動は、メインＣＰＵ２０又は測光・測距ＣＰＵ１３７によって制御される。
【００３２】
繰出量検出部７０は、レンズ鏡胴６０の繰り出し量を検出するセンサであり、ズームレンズ位置検出用のエンコーダなどで構成することができる。
【００３３】
ＣＣＤセンサ１３２は、詳細には、そのＣＣＤセンサ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３４】
また、カメラ３００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００３５】
さらに、カメラ３００には、白バランス・γ処理部１３３からのアナログ信号をディジタルのＲ，Ｇ，Ｂ画像データにＡ／Ｄ変換するＡ／Ｄ部１３４と、そのＡ／Ｄ部１３４からのＲ，Ｇ，Ｂ画像データを格納するバッファメモリ１３５が備えられている。
【００３６】
本実施形態では、Ａ／Ｄ部１３４は、８ビットの量子化分解能を有し、白バランス・γ処理部１３３から出力されるアナログＲ，Ｇ，Ｂ撮像信号を、ＣＣＤセンサ１３２の受光量に応じ、レベル０〜２５５のＲ，Ｇ，Ｂデジタル画像データに変換して出力する。以下、ＣＣＤ１３２のＲ，Ｇ，Ｂの受光量に応じたＲ，Ｇ，Ｂデジタル画像データのレベルも受光量と呼ぶ。ただし、この量子化分解能はあくまで一例であって本発明に必須の値ではない。
【００３７】
また、カメラ３００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００３８】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ部１３４を制御する制御信号、および通信制御部１３９を制御する制御信号を出力する。また、このＣＧ部１３６には、測光・測距用ＣＰＵ１３７からの制御信号が入力される。
【００３９】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。測光・測距用ＣＰＵ１３７は、レリーズスイッチ１０４が半押しされると、ＣＣＤ１３２によって周期的（１／30秒から１／60秒ごと）に得られる画像データに基づいて被写体の明るさの測光（ＥＶ値の算出）を行う。
【００４０】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４１】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する。
【００４２】
レリーズスイッチ１０４が全押しされると、モータドライバ６３は、その決定した絞り値に基づいて絞り用モータ１１２を駆動し、絞り１３１の開口径を制御するとともに、決定したシャッタスピードに基づき、ＣＧ１３６を介してＣＣＤ１３２での電荷蓄積時間を制御する（ＡＥ動作）。
【００４３】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４４】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時にその検出値（ＡＦ評価値）を測光・測距ＣＰＵ１３７に送信する。
【００４５】
測光・測距ＣＰＵ１３７は、この検出値を取得して対応する合焦位置に、フォーカスレンズ１０１ｂを移動させるようにモータドライバ６２に指令を出す。モータドライバ６２は、測光・測距ＣＰＵ１３７の指令に応じてフォーカス用モータ１１１を駆動し、フォーカスレンズ１０１ｂを合焦位置に移動させる（ＡＦ動作）。
【００４６】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、モータドライバ６２が接続されており、メインＣＰＵ２０が、ズームスイッチ１２７によってユーザからのＴＥＬＥ方向又はＷＩＤＥ方向へのズームの指令を取得した場合に、モータドライバ６２を制御してズーム用モータ１１０を駆動させることにより、ズームレンズ１０１ａをＷＩＤＥ端とＴＥＬＥ端との間で移動させる。
【００４７】
充電・発光制御部１３８は、閃光発光管１０５ａを発光させるために電源電池６８からの電力の供給を受けて図示しない閃光発光用のコンデンサを充電したり、その閃光発光管１０５ａの発光を制御する。充電・発光制御部１３８は，ＡＦ補助光ランプ１０５ｂやセルフタイマーランプ１０５ｃの発光も制御する。
【００４８】
通信制御部１３９には、通信ポート１０７が備えられており、この通信制御部１３９は、カメラ３００により撮影された被写体の画像信号をＵＳＢ端子が備えられたパーソナルコンピュータ等の外部装置に出力し、およびこのような外部装置からカメラ３００に画像信号を入力することにより、その外部装置との間のデータ通信を担うものである。また、このカメラ３００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。
【００４９】
また、カメラ３００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５０】
また、カメラ３００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ３００全体の制御を行なう。ＥＥＰＲＯＭ１４６には、このカメラ３００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００５１】
また、カメラ３００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ３００の各回路と電気的に接続される。
【００５２】
ＡＣアダプタ４８がカメラ３００に装填されＡＣ電源からＡＣアダプタ４８を介してカメラ３００に電力が供給される場合には、電源電池６８が電池収納室に装填されている場合であっても、優先的に当該ＡＣアダプタ４８から出力された電力がカメラ３００の各部に駆動用の電力として供給される。この場合、ＡＣアダプタ４８から出力される電力の一部は電源電池６８に供給され、電源電池６８はこの電力によって充電される。
【００５３】
また、ＡＣアダプタ４８が装填されておらず、かつ電源電池６８が電池収納室に装填されている場合には、当該電源電池６８から出力された電力がカメラ３００の各部に駆動用の電力として供給される。
【００５４】
電池残量検出部６５は、電源電池６８の電池残量を検出する回路である。メインＣＰＵ２０は、電池残量検出部６５の検出した電池残量に基づき、ＡＣアダプタ４８による電源電池６８の充電の進行状況を監視するプログラムを実行する。このプログラムはＥＥＰＲＯＭ１４６に記憶されている。
【００５５】
なお、図示しないが、カメラ３００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ３００の基本機能に給電する。
【００５６】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００５７】
ＲＴＣ（Real Time Clock）１５は計時専用のチップであり、電源電池６８やＡＣアダプタ４８からの給電がオフされていてもバックアップ電池から電源供給を受けて継続的に動作する。
【００５８】
図４はズームスイッチの概略構造を説明する図である。ズームスイッチ１２７を構成する操作ボタン１６２は、カメラボディ１８０に設けられた軸部１６１に、図示矢印方向に揺動可能に取り付けられている。
【００５９】
操作ボタン１６２のワイド側下面には、銅板等の可撓性部材で構成された、２つの導電性接片である第１ワイド側接片１６０Ｗ−１、第２ワイド側接片１６０Ｗ−２が配設されている。第２ワイド側接片１６０Ｗ−２の下面には、導電性の第３ワイド側接片１６０Ｗ−３が配設されている。第１ワイド側接片１６０Ｗ−１、第２ワイド側接片１６０Ｗ−２、第３ワイド側接片１６０Ｗ−３は、押圧力によって接触する場合を除いて互いに絶縁されている。
【００６０】
第１ワイド側接片１６０Ｗ−１は、接地電位ＧＮＤに接続されており、接地電位（Ｌレベル）に保たれる。第２ワイド側接片１６０Ｗ−２、第３ワイド側接片１６０Ｗ−３は、それぞれメインＣＰＵ２０の第１ワイド側端子２０Ｗ−１、第２ワイド側端子２０Ｗ−２に接続されており、メインＣＰＵ２０は、第２ワイド側接片１６０Ｗ−２、第３ワイド側接片１６０Ｗ−３の電圧を検出する。
【００６１】
第２ワイド側接片１６０Ｗ−２、第３ワイド側接片１６０Ｗ−３は、それぞれプルアップ抵抗ＲＷ１、ＲＷ２を介して、電源電池６８の出力端子８０に接続され、所定の電位（Ｈレベル）に保たれる。
【００６２】
操作ボタン１６２のワイド側下面には、操作ボタン１６２に向けて付勢されている第１ワイド側接片１６０Ｗ−１ないし第２ワイド側接片１６０Ｗ−２を付勢に抗して押圧するよう、突起１６２Ｗが形成されている。
【００６３】
指の押圧力で操作ボタン１６２をＷ側の第１の所定量（ＷＩＤＥ１）だけ揺動すると、突起１６２Ｗにより押圧された第１ワイド側接片１６０Ｗ−１が第２ワイド側接片１６０Ｗ−２と接触し、第１ワイド側端子２０−１Ｗで検出される電位がＨレベルからＬレベルに切り替わる。
【００６４】
指の押圧力でさらに操作ボタン１６２をＷ側の第２の所定量（ＷＩＤＥ２）だけ揺動すると、今度は第２ワイド側接片１６０Ｗ−２が第１ワイド側接片１６０Ｗ−１に接触した状態で、第３ワイド側接片１６０Ｗ−３にも接触する。これにより、第２ワイド側端子２０−２Ｗで検出される電位がＨレベルからＬレベルに切り替わる。
【００６５】
操作ボタン１６２の押圧を解除すると、第１ワイド側接片１６０Ｗ−１及び第２ワイド側接片１６０Ｗ−２の付勢力により両者の接触が解除され、第１ワイド側端子２０Ｗ−１ないし第２ワイド側端子２０Ｗ−２の電位がＨからＬに切り替わる。
【００６６】
なお、レリーズスイッチ１０４に設けられるようなクリック板を操作ボタン１６２に設け、第１ワイド側接片１６０Ｗ−１と第２ワイド側接片１６０Ｗ−２とが接触する第１の所定量、あるいは第１ワイド側接片１６０Ｗ−１と第２ワイド側接片１６０Ｗ−２と第３ワイド側接片１６０Ｗ−３とが接触する第２の所定量をクリック感でユーザに感知させてもよい。
【００６７】
図５（ａ）は操作ボタン１６２の操作量ＷＩＤＥ１、ＷＩＤＥ２に対応し、ＣＰＵ２０の第１ワイド側接片１６０Ｗ−１、第２ワイド側接片１６０Ｗ−２で検出される電位と、その際の動作の関係を示す。
【００６８】
検出電位が「ＷＩＤＥ１＝ＨかつＷＩＤＥ２＝Ｈ」の場合は特に動作を行わない。検出電位が「ＷＩＤＥ１＝ＬかつＷＩＤＥ２＝Ｈ」の場合、ズームスイッチ１２７のワイド（Ｗ）側が第１の所定量（ＷＩＤＥ１）だけ押されている状態となっている。この場合、Ｗ側が押され続けている間、レンズ鏡胴６０をワイド端（広角）側に繰り出す。検出電位が「ＷＩＤＥ１＝ＬかつＷＩＤＥ２＝Ｌ」となったときの動作は後述する。
【００６９】
図４を再び参照すると、操作ボタン１６２のテレ側下面には、銅板等の可撓性部材で構成された、２つの導電性接片である第１テレ側接片１６０Ｔ−１、第２テレ側接片１６０Ｔ−２が配設されている。第２テレ側接片１６０Ｔ−２の下面には、導電性の第３テレ側接片１６０Ｔ−３が配設されている。第１テレ側接片１６０Ｔ−１、第２テレ側接片１６０Ｔ−２、第３テレ側接片１６０Ｔ−３は、押圧力によって接触する場合を除いて互いに絶縁されている。
【００７０】
第１テレ側接片１６０Ｔ−１は、接地電位ＧＮＤに接続されてＬレベルの電位に保たれる。第２テレ側接片１６０Ｔ−２、第３テレ側接片１６０Ｔ−３は、それぞれメインＣＰＵ２０の第１テレ側端子２０Ｔ−１、第２テレ側端子２０Ｔ−２に接続されており、メインＣＰＵ２０は、第２テレ側接片１６０Ｔ−２、第３テレ側接片１６０Ｔ−３の電圧を検出する。第２テレ側接片１６０Ｔ−２、第３テレ側接片１６０Ｔ−３は、それぞれプルアップ抵抗ＲＴ１、ＲＴ２を介して、電源電池６８の出力端子８０に接続され、Ｈレベルの電位に保たれている。
【００７１】
操作ボタン１６２のテレ側下面には、操作ボタン１６２に向けて付勢されている第１テレ側接片１６０Ｔ−１ないし第２テレ側接片１６０Ｔ−２を付勢に抗して押圧するよう、突起１６２Ｔが形成されている。
【００７２】
指の押圧力で操作ボタン１６２を第１の所定量（ＴＥＬＥ１）だけＴ側に揺動すると、第１テレ側接片１６０Ｔ−１が、突起１６２Ｔにより押圧されて第２テレ側接片１６０Ｔ−２と接触し、第１テレ側端子２０−１Ｔで検出される電位がＨレベルからＬレベルに切り替わる。
【００７３】
第１テレ側接片１６０Ｔ−１が第２テレ側接片１６０Ｔ−２と接触した状態で、さらに操作ボタン１６２をＴ側に第２の所定量（ＴＥＬＥ２）だけ揺動すると、今度は第２テレ側接片１６０Ｔ−２と第３テレ側接片１６０Ｔ−３が接触する。これにより、第２テレ側端子２０−２Ｔで検出される電位がＨレベルからＬレベルに切り替わる。
【００７４】
操作ボタン１６２の押圧を解除すると、第１テレ側接片１６０Ｔ−１及び第２テレ側接片１６０Ｔ−２の付勢力により両者の接触が解除され、第１テレ側端子２０−１Ｔないし第２テレ側端子２０−２Ｔでの電位がＨからＬに切り替わる。
【００７５】
なお、レリーズスイッチと同様のクリック板を操作ボタン１６２に設け、第１テレ側接片１６０Ｔ−１と第２テレ側接片１６０Ｔ−２とが接触する第１の所定量、あるいは第１テレ側接片１６０Ｔ−１と第２テレ側接片１６０Ｔ−２と第３テレ側接片１６０Ｔ−３とが接触する第２の所定量をクリック感でユーザに感知させてもよい。
【００７６】
図５（ｂ）は操作ボタン１６２の操作量ＴＥＬＥ１、ＴＥＬＥ２に対応し、ＣＰＵ２０の第１テレ側接片１６０Ｔ−１、第２テレ側接片１６０Ｔ−２で検出される電位と、その際の動作の関係を示す。
【００７７】
検出電位が「ＴＥＬＥ１＝ＨかつＴＥＬＥ２＝Ｈ」の場合は特に動作を行わない。検出電位が「ＴＥＬＥ１＝ＬかつＴＥＬＥ２＝Ｈ」の場合、ズームスイッチ１２７のテレ（Ｔ）側が第１の所定量（ＴＥＬＥ１）だけ押されている状態となっている。この場合、Ｔ側が押され続けている間、レンズ鏡胴６０をテレ端（望遠）側に繰り出す。検出電位が「ＴＥＬＥ１＝ＬかつＴＥＬＥ２＝Ｌ」となったときの動作は後述する。
【００７８】
以下、図６のフローチャートに従い、ズームスイッチ１２７のワイド側への揺動操作に応じた動作の流れを説明する。
【００７９】
Ｓ１では、操作ボタン１６２をＷ側に第２の所定量（ＷＩＤＥ２）だけ揺動することで、ＷＩＤＥ１＝ＬかつＷＩＤＥ２＝Ｌとなったことに応じ、１回目のワンプッシュワイド端動作を開始する。
【００８０】
即ち、Ｓ２では、ズーム用モータ１１０によってズームレンズ１０１ａをワイド端まで移動させる。そして、ズームレンズ１０１ａがワイド端まで移動したか否かを判断し、ワイド端まで移動したと判断された場合はＳ３に移行する。
【００８１】
Ｓ３では、１回目のＡＦ動作を開始する。ここでは、まず粗いＡＦサーチを行なって概略の合焦位置を検出する、いわゆる粗調を行う。即ち、メインＣＰＵ２０は、フォーカス用モータ１１１を駆動してフォーカスレンズ１０１ｂを被写体距離の無限遠から至近点にわたって比較的粗いステップで移動させる。ＡＦ検出部１５０は、このステップ毎のＡＦ評価値を検出する。メインＣＰＵ２０は、これらのＡＦ評価値に基づいて合焦位置を判定する。
【００８２】
Ｓ４では、粗調が完了したか否かを判断する。粗調が完了した場合はＳ５に移行する。
【００８３】
なお、電源電池６８の供給電圧に支障がなければ、Ｓ１とＳ３の動作を並行して行ってもよい。ただし、この場合、下記のＳ５で行われる微調の精度を上げるため、粗調が完了しかつズームレンズ１０１ａがワイド端まで移動するまで、Ｓ５での微調の開始を待機することが好ましい。
【００８４】
Ｓ５では、Ｓ４で得られた概略の合焦位置近傍で細かな合焦位置検出を行ういわゆる微調を行う。即ち、粗調で得られた合焦位置の近傍においてフォーカスレンズ１０１ｂを微少ステップで移動させ、この微少ステップ毎のＡＦ評価値に基づいて合焦位置を得る。そして、微調が完了したか否かを判断し、完了した場合はＳ６に移行する。
【００８５】
Ｓ６では、Ｓ５の微調により、ＡＦ評価値が安定した状態になったか否かを判断する。ＡＦ評価値が安定した場合、そのときのフォーカスレンズ１０１ｂの位置が合焦位置に達したと判断する。
【００８６】
Ｓ７では、Ｓ６でＡＦ評価値が安定した状態になったと判断されたときの合焦位置をＲＡＭ１４５に記憶する。
【００８７】
Ｓ８では、再びＷＩＤＥ１＝ＬかつＷＩＤＥ２＝Ｌとなったことに応じ、２回目のワンプッシュワイド端動作を開始する。
【００８８】
即ち、Ｓ９では、ズーム用モータ１１０によってズームレンズ１０１ａをワイド端まで移動させる。そして、ズームレンズ１０１ａがワイド端まで移動したか否かを判断し、ワイド端まで移動したと判断された場合はＳ１０に移行する。
【００８９】
Ｓ１０では、２回目のＡＦ動作を開始する。ここでは、ＲＡＭ１４５に記憶された１回目の合焦位置近傍で細かな合焦位置検出を行う。即ち、ＲＡＭ１４５に記憶された１回目の合焦位置の近傍においてフォーカスレンズ１０１ｂを微少ステップで移動させ、この微少ステップ毎のＡＦ評価値に基づいて合焦位置を得る。ここでは、１回目の合焦位置の近傍で微調を行うため、粗調に相当する動作を行う必要がない。
【００９０】
Ｓ１１では、微調が完了したか否かを判断し、完了した場合はＳ１２に移行する。
【００９１】
Ｓ１２では、Ｓ６と同様にしてフォーカスレンズ１０１ｂが合焦位置に達したか否かを判断する。合焦位置に達した場合はＳ１３に移行する。
【００９２】
Ｓ１３では、Ｓ１１で判断されたフォーカスレンズ１０１ｂの合焦位置をＲＡＭ１４５に記憶する。
【００９３】
Ｓ１４では、再びＷＩＤＥ１＝ＬかつＷＩＤＥ２＝Ｌとなったことに応じ、３回目のワンプッシュワイド端動作を開始する。
【００９４】
即ち、Ｓ１４では、ズーム用モータ１１０によってズームレンズ１０１ａをワイド端まで移動させる。
【００９５】
Ｓ１５では、ズームレンズ１０１ａがワイド端まで移動したか否かを判断し、ワイド端まで移動したと判断された場合はＳ１６に移行する。
【００９６】
Ｓ１６では、３回目のＡＦ動作を開始する。ここでは、ＲＡＭ１４５に記憶された合焦位置近傍で細かな合焦位置検出を行う。即ち、ＲＡＭ１４５に記憶された合焦位置の近傍においてフォーカスレンズ１０１ｂを微少ステップで移動させ、この微少ステップ毎のＡＦ評価値に基づいて合焦位置を得る。ここでは、２回目の合焦位置の近傍で微調を行うため、粗調に相当する動作を行う必要がない。
【００９７】
Ｓ１７では、微調が完了したか否かを判断し、完了した場合はＳ１８に移行する。
【００９８】
Ｓ１８では、Ｓ６と同様にしてフォーカスレンズ１０１ｂが合焦位置に達したか否かを判断する。合焦位置に達した場合はＳ１９に移行する。
【００９９】
Ｓ１９では、Ｓ１８で判断されたフォーカスレンズ１０１ｂの合焦位置をＲＡＭ１４５に記憶する。
【０１００】
以後、ＷＩＤＥ１＝ＬかつＷＩＤＥ２＝Ｌとなったことに応じて３回目のワンプッシュワイド端動作（Ｓ１４〜Ｓ１９）を行う。ＲＡＭ１４５の合焦位置はその都度上書きされるものとする。
【０１０１】
以上説明した通り、２回目以降のワンプッシュワイド端動作では、ＲＡＭ１４５に記憶された合焦位置から微調を開始し、粗調は行われない。このため、ワイド端へのズームレンズ１０１ａへの移動と、これに応じた合焦動作の時間短縮を図ることができる。
【０１０２】
さらに、テレ端へ操作ボタン１６２を揺動する場合も同様の動作を行うことができる。以下、図６のフローチャートに従い、ズームスイッチ１２７のテレ側への揺動操作に応じた動作の流れを説明する。
【０１０３】
Ｓ１０１では、操作ボタン１６２をＴ側に揺動することで、検出電位がＴＥＬＥ１＝ＬかつＴＥＬＥ２＝Ｌとなったことに応じ、１回目のワンプッシュテレ端動作を開始する。
【０１０４】
即ち、Ｓ１０２では、ズーム用モータ１１０によってズームレンズ１０１ａをテレ端まで移動させる。そして、ズームレンズ１０１ａがテレ端まで移動したか否かを判断し、テレ端まで移動したと判断された場合はＳ１０３に移行する。
【０１０５】
Ｓ１０３では、１回目のＡＦ動作を開始する。ここでは、まず粗調を行う。
【０１０６】
Ｓ１０４では、粗調が完了したか否かを判断する。粗調が完了した場合はＳ１０５に移行する。
【０１０７】
Ｓ１０５では、Ｓ１０４で得られた概略の合焦位置で微調を行う。
【０１０８】
Ｓ１０６では、Ｓ１０５の微調により、ＡＦ評価値が安定した状態になったか否かを判断する。ＡＦ評価値が安定した場合、そのときのフォーカスレンズ１０１ｂの位置が合焦位置に達したと判断する。
【０１０９】
Ｓ１０７では、Ｓ１０６でＡＦ評価値が安定した状態になったと判断されたときの合焦位置をＲＡＭ１４５に記憶する。
【０１１０】
Ｓ１０８では、再びＴＥＬＥ１＝ＬかつＴＥＬＥ２＝Ｌとなったことに応じ、２回目のワンプッシュテレ端動作を開始する。
【０１１１】
即ち、Ｓ１０９では、ズーム用モータ１１０によってズームレンズ１０１ａをテレ端まで移動させる。そして、ズームレンズ１０１ａがテレ端まで移動したか否かを判断し、テレ端まで移動したと判断された場合はＳ１１０に移行する。
【０１１２】
Ｓ１１０では、２回目のＡＦ動作を開始する。ここでは、ＲＡＭ１４５に記憶された合焦位置近傍で細かな合焦位置検出を行う。即ち、１回目の合焦位置の近傍においてフォーカスレンズ１０１ｂを微少ステップで移動させ、この微少ステップ毎のＡＦ評価値に基づいて合焦位置を得る。ここでは、１回目の合焦位置の近傍で微調を行うため、粗調に相当する動作を行う必要がない。
【０１１３】
Ｓ１１１では、微調が完了したか否かを判断し、完了した場合はＳ１１２に移行する。
【０１１４】
Ｓ１１２では、Ｓ１０６と同様にしてフォーカスレンズ１０１ｂが合焦位置に達したか否かを判断する。合焦位置に達した場合はＳ１１３に移行する。
【０１１５】
Ｓ１１３では、Ｓ１１１で判断されたフォーカスレンズ１０１ｂの合焦位置をＲＡＭ１４５に記憶する。
【０１１６】
Ｓ１１４では、再びＴＥＬＥ１＝ＬかつＴＥＬＥ２＝Ｌとなったことに応じ、３回目のワンプッシュテレ端動作を開始する。
【０１１７】
即ち、Ｓ１１４では、ズーム用モータ１１０によってズームレンズ１０１ａをテレ端まで移動させる。
【０１１８】
Ｓ１１５では、ズームレンズ１０１ａがテレ端まで移動したか否かを判断し、テレ端まで移動したと判断された場合はＳ１１６に移行する。
【０１１９】
Ｓ１１６では、３回目のＡＦ動作を開始する。ここでは、ＲＡＭ１４５に記憶された合焦位置で細かな合焦位置検出を行う。即ち、２回目の合焦位置の近傍においてフォーカスレンズ１０１ｂを微少ステップで移動させ、この微少ステップ毎のＡＦ評価値に基づいて合焦位置を得る。ここでは、２回目の合焦位置の近傍で微調を行うため、粗調に相当する動作を行う必要がない。
【０１２０】
Ｓ１１７では、微調が完了したか否かを判断し、完了した場合はＳ１１８に移行する。
【０１２１】
Ｓ１１８では、Ｓ１０６と同様にしてフォーカスレンズ１０１ｂが合焦位置に達したか否かを判断する。合焦位置に達した場合はＳ１１９に移行する。
【０１２２】
Ｓ１１９では、Ｓ１１８で判断されたフォーカスレンズ１０１ｂの合焦位置をＲＡＭ１４５に記憶する。
【０１２３】
以後、ＴＥＬＥ１＝ＬかつＴＥＬＥ２＝Ｌとなったことに応じて３回目のワンプッシュテレ端動作（Ｓ１１４〜Ｓ１１９）を行う。３回目の合焦位置はその都度上書きされるものとする。
【０１２４】
以上説明した通り、２回目以降のワンプッシュテレ端動作では、前回の合焦位置近傍から微調を開始し、粗調は行われない。このため、テレ端へのズームレンズ１０１ａへの移動と、これに応じた合焦動作の時間短縮を図ることができる。
【０１２５】
以上のＳ１〜Ｓ１９の動作と、Ｓ１０１〜Ｓ１１９の動作とを組み合わせれば、ワイド端／テレ端へのズームレンズ１０１ａの移動とその際の合焦を素早く行うことができる。例えば、遠方にいる被写体と近くにいる被写体を交互に撮影を行いたい場合、例えば野球観戦で遠方の選手を拡大して撮影し、かつ観戦同席者を近景で撮影する場合、望遠／近景撮影の切り替えとその際の合焦を素早く行い、シャッターチャンスを逃す可能性が低くなる。
【０１２６】
＜第２実施形態＞
ズームスイッチ１２７の構成は図４に示したものに限定されない。例えば、図８で示すように、スライド式のスイッチで構成してもよい。このズームスイッチ１２７は、略中央の初期位置からＷ側へ第１，２の所定のスライド量だけ隔てたＷ１，Ｗ２または初期位置ＯからＴ側へ第１，２の所定のスライド量だけ隔てたＴ１，Ｔ２の４点のいずれかに操作ボタン１６２をスライド可能なように構成されている。
【０１２７】
図９はスライド式のズームスイッチ１２７の構成を示す。この図で示すように、第２ワイド側接片１６０Ｗ−２、第３ワイド側接片１６０Ｗ−３、第２テレ側接片１６０Ｔ−２、第３テレ側接片１６０Ｗ−３は、ワイド側からテレ側にかけて所定の間隔で直列に配置されている。
【０１２８】
操作ボタン１６２は板状に形成されており、カメラボディ１８０に一端が取り付けられたスプリング１６３ａ，１６３ｂが接続される。このスプリング１６３ａ，１６３ｂにより操作ボタン１６２は左右両側から付勢された状態となって、第２ワイド側接片１６０Ｗ−２と第２テレ側接片１６０Ｔ−２との間の中間位置Ｏに保持される。
【０１２９】
操作ボタン１６２の上面には、そのスライド量に応じて、第２ワイド側接片１６０Ｗ−２、第３ワイド側接片１６０Ｗ−３、第２テレ側接片１６０Ｔ−２、第３テレ側接片１６０Ｗ−３のいずれかと接触する可動接片１６０−１が設けられている。可動接片１６０−１は接地電位ＧＮＤに接続されており、その電位はＬレベルに保たれる。可動接片１６０−１は、図４の第１ワイド側接片１６０Ｗ−１及び第１テレ側接片１６０Ｔ−１と同等の役割を果たす。
【０１３０】
図４と同様、第２ワイド側接片１６０Ｗ−２、第３ワイド側接片１６０Ｗ−３は、それぞれメインＣＰＵ２０の第１ワイド側端子２０Ｗ−１、第２ワイド側端子２０Ｗ−２に接続される。また、第２テレ側接片１６０Ｔ−２、第３テレ側接片１６０Ｔ−３は、それぞれメインＣＰＵ２０の第１テレ側端子２０Ｔ−１、第２テレ側端子２０Ｔ−２に接続される。
【０１３１】
また、図４と同様、第２ワイド側接片１６０Ｗ−２、第３ワイド側接片１６０Ｗ−３は、それぞれプルアップ抵抗ＲＷ１、ＲＷ２を介して、電源電池６８の出力端子８０に接続され、その電位はＨレベルに保たれる。第２テレ側接片１６０Ｔ−２、第３テレ側接片１６０Ｔ−３は、それぞれプルアップ抵抗ＲＴ１、ＲＴ２を介して、電源電池６８の出力端子８０に接続され、その電位はＨレベルに保たれる。
【０１３２】
指の押圧力で操作ボタン１６２をＷ側に所定の第１のスライド量だけスライドしてＷ１点に移動すると、第２ワイド側接片１６０Ｗ−２のみが可動接片１６０−１と接触し、第１ワイド側端子２０Ｗ−１の電位のみがＨレベルからＬレベルに切り替わる。
【０１３３】
さらに操作ボタン１６２をＷ側に所定の第２のスライド量だけスライドしてＷ２点に移動すると、今度は第２ワイド側接片１６０Ｗ−２及び第３ワイド側接片１６０Ｗ−３の両方が可動接片１６０−１と接触する。これにより、第２ワイド側端子２０Ｗ−２の電位もＨレベルからＬレベルに切り替わる。
【０１３４】
一方、操作ボタン１６２をＴ側に第１の所定のスライド量だけスライドしてＴ１点に移動すると、第２テレ側接片１６０Ｔ−２のみが可動接片１６０−１と接触し、第１テレ側端子２０Ｔ−１の電位のみがＨレベルからＬレベルに切り替わる。
【０１３５】
さらに操作ボタン１６２をＴ側に第２の所定のスライド量だけスライドしてＴ２点に移動すると、今度は第２テレ側接片１６０−２及び第３テレ側接片１６０Ｔ−３の両方が可動接片１６０−１と接触する。これにより、第２テレ側端子２０Ｔ−２の電位もＨレベルからＬレベルに切り替わる。
【０１３６】
操作ボタン１６２への押圧を解放した場合、操作ボタン１６２はスプリング１６２ａ，１６２ｂの付勢力により初期位置Ｏに戻る。
【０１３７】
なお、初期位置Ｏからワイド側に第１の所定のスライド量だけ操作ボタン１６２がスライドされ、Ｗ１に操作ボタン１６２が保持されると、ＣＰＵ２０はズーム用モータ１１０を駆動し、その保持期間に応じてズームレンズ１０１ａをワイド端に向けて順次移動させる。
【０１３８】
同様に、初期位置からテレ側に第１の所定のスライド量だけ操作ボタン１６２がスライドされ、Ｔ１に操作ボタン１６２が保持されると、ＣＰＵ２０はズーム用モータ１１０を駆動し、その保持期間に応じてズームレンズ１０１ａをテレ端に向けて順次移動させる。
【０１３９】
操作ボタン１６２がＷ２にスライドされると、ＷＩＤＥ１＝ＬかつＷＩＤＥ２＝Ｌとなり、これに応じて第１実施形態と同様のワンプッシュワイド端動作を開始することができる。
【０１４０】
操作ボタン１６２がＴ２にスライドされると、ＴＥＬＥ１＝ＬかつＴＥＬＥ２＝Ｌとなり、これに応じて第１実施形態と同様のワンプッシュテレ端動作を開始することができる。
【０１４１】
このように、ズームスイッチ１２７をスライド式にしても、第１実施形態と同様、望遠／近景撮影の切り替えとその際の合焦を素早く行うことができる。
【図面の簡単な説明】
【０１４２】
【図１】デジタルカメラの正面図
【図２】第１実施形態に係るデジタルカメラの背面図
【図３】デジタルカメラのブロック構成図
【図４】第１実施形態に係るズームスイッチの概略構造を説明する図
【図５】ズームスイッチのワイド側又はテレ側への揺動操作に応じた動作の対応関係を示す図
【図６】ズームスイッチのワイド側への揺動操作に応じた動作の流れを示すフローチャート
【図７】ズームスイッチのテレ側への揺動操作に応じた動作の流れを示すフローチャート
【図８】第２実施形態に係るデジタルカメラの背面図
【図９】第２実施形態に係るズームスイッチの概略構造を説明する図
【符号の説明】
【０１４３】
１４：発光制御ＣＰＵ、１７：ＬＥＤ群、１９：ＬＥＤドライバ、１６：通信用発光装置、２０：メインＣＰＵ、６０：レンズ鏡胴、６１：レンズカバー、６２：モータドライバ、６３：赤外線受光回路、１０１：撮影レンズ、１０１ａ：ズームレンズ、１０１ｂ：フォーカスレンズ、１１０：ズーム用モータ、１１１：フォーカス用モータ、１１２：絞り用モータ、１１４：レンズカバー用モータ、１２７：ズームスイッチ、１３１：絞り、１３２：ＣＣＤ、１３４：Ａ／Ｄ変換部、１５０：ＡＦ検出部、１５１：ＡＥ演算部
【図１】
0004769507.tif 000002
【図２】
0004769507.tif 000003
【図３】
0004769507.tif 000004
【図４】
0004769507.tif 000005
【図５】
0004769507.tif 000006
【図６】
0004769507.tif 000007
【図７】
0004769507.tif 000008
【図８】
0004769507.tif 000009
【図９】
0004769507.tif 000010